(57)【要約】【課題】下部建築部と上部建築部との間の移動にかかる乗客の手間を低減することができる免震建築物用エレベータ装置を得る。【解決手段】下部建築部１上には、免震装置３を介して上部建築部２が支持されている。下部建築部１には下部昇降路５が、上部建築部２には上部昇降路７がそれぞれ設けられている。下部昇降路５及び上部昇降路７は、免震装置３が設けられた中間階４で互いに隣接されている。下部かご出入口１５を有する下部建築部用かご１３は下部昇降路５内を昇降され、上部かご出入口２５を有する上部建築部用かご２３は上部昇降路７内を昇降される。下部建築部用かご１３及び上部建築部用かご２３は、中間階４に並んで着床可能になっている。下部建築部用かご１３及び上部建築部用かご２３は、並んで着床されたときにそれぞれの内部が下部かご出入口１５及び上部かご出入口２５を通して連通可能となる。【選択図】図１
2005126157.tif 000002
【特許請求の範囲】
【請求項１】
下部建築部と、上記下部建築部上に支持された上部建築部と、上記下部建築部と上記上部建築部との間に位置する中間階に設けられた免震装置とを有する免震建築物に設けられた免震建築物用エレベータ装置であって、
上記下部建築部に設けられた下部昇降路、
上記上部建築部に設けられ、上記中間階で上記下部昇降路と隣接する上部昇降路、
開閉可能な下部かご出入口を有し、上記下部昇降路内を昇降され、上記中間階に着床可能な下部建築部用かご、
開閉可能な上部かご出入口を有し、上記上部昇降路内を昇降され、上記中間階に上記下部建築部用かごと並んで着床可能な上部建築部用かご
を備え、上記上部建築部用かごと上記下部建築部用かごとが上記中間階に並んで着床されたときに、上記下部かご出入口及び上記上部かご出入口は互いに対向し、上記下部かご出入口及び上記上部かご出入口を通して上記下部建築部用かご内及び上記上部建築部用かご内が互いに連通可能になっていることを特徴とする免震建築物用エレベータ装置。
【請求項２】
上記下部建築部用かごは、上記下部かご出入口とは別個のかご出入口をさらに有していることを特徴とする請求項１に記載の免震建築物用エレベータ装置。
【請求項３】
上記上部建築部用かごは、上記上部かご出入口とは別個のかご出入口をさらに有していることを特徴とする請求項１又は請求項２に記載の免震建築物用エレベータ装置。
【請求項４】
上記下部建築部用かご及び上記上部建築部用かごの少なくともいずれか一方には、上記下部建築部用かご及び上記上部建築部用かごが上記中間階で並んで着床されたときに上記下部建築部用かごの床部と上記上部建築部用かごの床部との間の隙間を塞ぐ閉塞部材が設けられていることを特徴とする請求項１乃至請求項３の何れかに記載の免震建築物用エレベータ装置。
【請求項５】
上記閉塞部材は、上記下部建築部用かご及び上記上部建築部用かごの少なくともいずれか一方に収納可能となっていることを特徴とする請求項４に記載の免震建築物用エレベータ装置。
【請求項６】
上記下部建築部用かご内には、上記上部建築部用かごを上記中間階に着床させるための呼び釦が設けられていることを特徴とする請求項１乃至請求項５の何れかに記載の免震建築物用エレベータ装置。
【請求項７】
上記上部建築部用かご内には、上記下部建築部用かごを上記中間階に着床させるための呼び釦が設けられていることを特徴とする請求項１乃至請求項６の何れかに記載の免震建築物用エレベータ装置。
【発明の詳細な説明】
【技術分野】
【０００１】
この発明は、下部建築部と、下部建築部上に免震装置を介して支持された上部建築部とを有する免震建築物に設けられた免震建築物用エレベータ装置に関するものである。
【背景技術】
【０００２】
従来、地上階構造部分と地下階構造部分とが免震装置を介して二分された免震建築物では、例えば地震等による揺れの影響を小さくするために、地上階構造部分には地上階専用エレベータ装置が、地下階構造部分には地下階専用エレベータ装置がそれぞれ分離して設置されることがある（例えば、特許文献１参照）。
【０００３】
【特許文献１】特公平５−４９５９５号公報
【発明の開示】
【発明が解決しようとする課題】
【０００４】
しかし、例えば乗客が地下階から地上階へ移動する場合には、地下階専用エレベータ装置から地上階専用エレベータ装置に乗り換えるために、乗り換え階に一旦降りなければならない。従って、乗客は、乗り換え階での移動等により、乗り換えに手間がかかってしまう。
【０００５】
この発明は、上記のような問題点を解決することを課題としてなされたものであり、下部建築部と上部建築部との間の移動にかかる乗客の手間を低減することができる免震建築物用エレベータ装置を得ることを目的とする。
【課題を解決するための手段】
【０００６】
この発明に係る免震建築物用エレベータ装置は、下部建築部と、下部建築部上に支持された上部建築部と、下部建築部と上部建築部との間に位置する中間階に設けられた免震装置とを有する免震建築物に設けられた免震建築物用エレベータ装置であって、下部建築部に設けられた下部昇降路、上部建築部に設けられ、中間階で下部昇降路と隣接する上部昇降路、開閉可能な下部かご出入口を有し、下部昇降路内を昇降され、中間階に着床可能な下部建築部用かご、開閉可能な上部かご出入口を有し、上部昇降路内を昇降され、中間階に下部建築部用かごと並んで着床可能な上部建築部用かごを備え、上部建築部用かごと下部建築部用かごとが中間階に並んで着床されたときに、下部かご出入口及び上部かご出入口は互いに対向し、下部かご出入口及び上部かご出入口を通して下部建築部用かご内及び上部建築部用かご内が互いに連通可能になっている。
【発明の効果】
【０００７】
この発明に係る免震建築物用エレベータ装置では、下部建築部に設けられた下部昇降路と上部建築部に設けられた上部昇降路とが中間階で隣接され、下部建築部用かご及び上部建築部用かごが中間階に並んで着床されたときに下部建築部用かご内及び上部建築部用かご内が互いに連通可能になっているので、下部建築部用かごと上部建築部用かごとの間の乗客の乗り継ぎを容易にすることができる。従って、下部建築部と上部建築部との間の移動にかかる乗客の手間を低減することができる。
【発明を実施するための最良の形態】
【０００８】
実施の形態１．
図１は、この実施の形態１に係る免震建築物用エレベータ装置を示す縦断面図である。図において、下部建築部１上には、複数の免震装置３を介して上部建築部２が支持されている。各免震装置３は、下部建築部１と上部建築部２との間に位置する免震建築物の中間階４に配置されている。
【０００９】
下部建築部１には、上下方向へ延びた下部昇降路５が設けられている。下部昇降路５の上部は、下部建築部１から上方へ突出している。また、上部建築部２の下面には、凹部６が設けられている。下部昇降路５の上部は、凹部６に挿入されている。下部昇降路５の上部と凹部６の内面との間には隙間があり、下部昇降路５は上部建築部２に対して変位可能となっている。
【００１０】
上部建築部２には、上下方向へ延びた上部昇降路７が設けられている。上部昇降路７の下部は、上部建築部２から下方へ突出している。また、下部建築部１の上面には、凹部８が設けられている。上部昇降路７の下部は、凹部８に挿入されている。上部昇降路７の下部と凹部８の内面との間には隙間があり、上部昇降路７は下部建築部１に対して変位可能となっている。
【００１１】
下部昇降路５及び上部昇降路７は、中間階４で互いに隣接している。また、下部昇降路５内及び上部昇降路７内は、中間階４で互いに連通されている。
【００１２】
下部昇降路５内の上端部には、駆動シーブ９を有する駆動装置（巻上機）１０と、そらせ車１１とが設けられている。駆動シーブ９及びそらせ車１１には、主索１２が巻き掛けられている。下部昇降路５内には、下部建築部用かご１３及び下部建築部用釣合おもり１４が主索１２により吊り下げられている。下部建築部用かご１３及び下部建築部用釣合おもり１４は、駆動装置１０の駆動により下部昇降路５内を昇降される。下部建築部用かご１３は、中間階４、及び中間階４よりも下方の複数の乗場階に着床可能となっている。さらに、下部昇降路５内には、エレベータ装置の運転を制御する制御装置（図示せず）が設置されている。
【００１３】
下部建築部用かご１３は、下部建築部用かご１３が中間階４に着床されたときに上部昇降路７側に向けられる下部かご出入口１５と、下部建築部用かご１３が各乗場階に着床されたときに乗場出入口側に向けられるかご出入口である下部乗降用かご出入口１６とを有している。下部かご出入口１５には往復動可能なかごの戸１７が、下部乗降用かご出入口１６には往復動可能なかごの戸１８がそれぞれ設けられている。下部かご出入口１５はかごの戸１７の往復動により開閉され、下部乗降用かご出入口１６はかごの戸１８の往復動により開閉される。
【００１４】
上部昇降路７内の上端部には、駆動シーブ１９を有する駆動装置（巻上機）２０とそらせ車２１が設けられている。駆動シーブ１９及びそらせ車２１には、主索２２が巻き掛けられている。上部昇降路７内には、上部建築部用かご２３及び上部建築部用釣合おもり２４が主索２２により吊り下げられている。上部建築部用かご２３及び上部建築部用釣合おもり２４は、駆動装置２０の駆動により上部昇降路７内を昇降される。上部建築部用かご２３は、中間階４、及び中間階４よりも上方の複数の乗場階に着床可能となっている。さらに、下部建築部用かご１３及び上部建築部用かご２３は、中間階４に互いに並んで着床可能になっている。
【００１５】
上部建築部用かご２３は、上部建築部用かご２３が中間階４に着床されたときに下部昇降路５側に向けられる上部かご出入口２５と、上部建築部用かご２３が各乗場階に着床されたときに乗場出入口側に向けられるかご出入口である上部乗降用かご出入口２６とを有している。上部かご出入口２５には往復動可能なかごの戸２７が、上部乗降用かご出入口２６には往復動可能なかごの戸２８がそれぞれ設けられている。上部かご出入口２５はかごの戸２７の往復動により開閉され、上部乗降用かご出入口２６はかごの戸２８の往復動により開閉される。
【００１６】
下部かご出入口１５及び上部かご出入口２５は、下部建築部用かご１３及び上部建築部用かご２３が中間階４に並んで着床されたときに、互いに対向するようになっており、制御装置からの指令により互いに同期して開閉可能になっている。下部建築部用かご１３内及び上部建築部用かご２３内は、下部かご出入口１５及び上部かご出入口２５が同期して開くことにより、下部かご出入口１５及び上部かご出入口２５を通して互いに連通される。
【００１７】
下部建築部用かご１３内には、上部建築部用かご２３を中間階４に着床させるための呼び釦である下部かご内呼び釦２９が設けられている。上部建築部用かご２３内には、下部建築部用かご１３を中間階４に着床させるための呼び釦である上部かご内呼び釦３０が設けられている。制御装置は、下部かご内呼び釦２９及び上部かご内呼び釦３０のいずれか一方からの信号の入力に基づいて、上部建築部用かご１３及び下部建築部用かご２３がともに中間階４に着床されるように駆動装置１０及び２０へ駆動指令を出力するようになっている。
なお、下部建築部用かご１３内には、下部建築部１の目的階を選択するための複数の行先階ボタン３２が設けられている。また、上部建築部用かご２３内には、上部建築部２の目的階を選択するための複数の行先階ボタン３３が設けられている。
【００１８】
図２は図１の下部建築部用かご１３及び上部建築部用かご２３が中間階４に並んで着床された状態を示す縦断面図であり、図３は図２の平断面図である。図において、下部建築部用かご１３には、下部建築部用かご１３及び上部建築部用かご２３が中間階４に並んで着床されたときに下部かご出入口１５の縁部と上部かご出入口２５の縁部との間の隙間を塞ぐ可動式の閉塞部材３１が設けられている。
【００１９】
閉塞部材３１は、下部かご出入口１５の縁部、即ち下部かご出入口１５の上辺、下辺、右側辺及び左側辺（四辺）に沿ってそれぞれ延びた軸線を中心に回動可能な複数の回動板である。閉塞部材３１は、下部かご出入口１５を囲む外壁面に対してほぼ平行となる収納位置と、下部かご出入口１５を囲む外壁面に対してほぼ垂直となる閉塞位置との間で、回動可能となっている。即ち、閉塞部材３１は、下部建築部用かご１３に対して閉塞位置と収納位置との間で変位可能となっている。閉塞部材３１は、下部建築部用かご１３に搭載された駆動機構（図示せず）により回動される。駆動機構の駆動は、制御装置により制御される。
【００２０】
閉塞部材３１は、下部かご出入口１５の下辺に設けられた足場用部材３５と、下部かご出入口１５の上辺、右側辺及び左側辺に設けられた囲い用部材３６とを有している。下部建築部用かご１３の床部と上部建築部用かご２３の床部との間の隙間は、足場用部材３５が閉塞位置にあるときに閉塞され、足場用部材３５が収納位置にあるときに開放される。また、下部かご出入口１５の上辺、右側辺及び左側辺と上部かご出入口２５の上辺、右側辺及び左側辺との間の隙間は、囲い用部材３６が閉塞位置にあるときに閉塞され、囲い用部材３６が収納位置にあるときに開放される。
【００２１】
次に、動作について説明する。
下部建築部用かご１３内で下部かご内呼び釦２９が乗客により選択された（押された）場合、下部かご内呼び釦２９からは制御装置へ作動信号が出力される。この作動信号の入力に基づいて、制御装置から駆動装置１０及び２０へ駆動指令が出力され、駆動装置１０及び２０が駆動される。これにより、下部建築部用かご１３は下部昇降路５内を上昇され、上部建築部用かご２３は上部昇降路７内を降下される。この後、下部建築部用かご１３及び上部建築部用かご２３は、中間階４に互いに並んで着床される。
【００２２】
この後、制御装置からの指令により、閉塞部材３１が収納位置から閉塞位置へ回動される。これにより、下部かご出入口１５の縁部と上部かご出入口２５の縁部との間の隙間が閉塞部材３１により閉塞される。この後、制御装置からの指令により、下部かご出入口１５及び上部かご出入口２５が同期して開かれ、下部建築部用かご１３内及び上部建築部用かご２３内が互いに連通される。これにより、下部建築部用かご１３内から上部建築部用かご２３内への乗客の移動が可能になる。
【００２３】
この後、下部建築部用かご１３内から上部建築部用かご２３内へ乗客が移動し、上部建築部用かご２３内で目的階への行先階ボタン３３が乗客により選択される（押される）と、選択された行先階ボタン３３からは作動信号が制御装置へ出力される。この後、下部かご出入口１５及び上部かご出入口２５は、制御装置の指令により同期して閉じられる。この後、駆動装置２０が駆動され、上部建築部用かご２３は上部昇降路７内を上昇されて上部建築部２の目的階に着床される。この後、制御装置の指令により、上部乗降用かご出入口２６が開かれ、上部建築部用かご２３内から目的階の乗場側への乗客の移動が可能になる。
【００２４】
上部建築部用かご２３内で上部かご内呼び釦３０が乗客により選択された（押された）場合、上部かご内呼び釦３０からは制御装置へ作動信号が出力され、上記と同様にして下部建築部用かご１３及び上部建築部用かご２３が中間階４に互いに並んで着床される。
【００２５】
この後、上記と同様にして下部建築部用かご１３内及び上部建築部用かご２３内が互いに連通され、上部建築部用かご２３内から下部建築部用かご１３内への乗客の移動が可能になる。
【００２６】
この後、上部建築部用かご２３内から下部建築部用かご１３内へ乗客が移動し、下部建築部用かご１３内で目的階への行先階ボタン３２が乗客により選択される（押される）と、選択された行先階ボタン３２からは作動信号が制御装置へ出力される。この後、下部かご出入口１５及び上部かご出入口２５は、制御装置の指令により同期して閉じられる。この後、駆動装置１０が駆動され、下部建築部用かご１３は下部昇降路５内を下降されて下部建築部２の目的階に着床される。この後、制御装置の指令により、下部乗降用かご出入口１６が開かれ、下部建築部用かご１３内から目的階の乗場側への乗客の移動が可能になる。
【００２７】
このような免震建築物用エレベータ装置では、下部建築部１に設けられた下部昇降路５と上部建築部２に設けられた上部昇降路７とが中間階４で隣接され、下部建築部用かご１３及び上部建築部用かご２３が中間階４に並んで着床されたときに下部かご出入口１５及び上部かご出入口２５を通して下部建築部用かご１３内及び上部建築部用かご２３内が互いに連通可能になっているので、乗客は中間階４の乗場に降りることなく下部建築部用かご１３と上部建築部用かご２３との間を乗り継ぐことができ、下部建築部用かご１３と上部建築部用かご２３との間の乗客の乗り継ぎを容易にすることができる。従って、下部建築部１と上部建築部２との間の移動にかかる乗客の手間を低減することができる。
【００２８】
また、下部建築部用かご１３は、下部かご出入口１５とは別個の下部乗降用かご出入口１６を有しているので、下部建築部用かご１３内と中間階４の乗場との間の乗客の乗降を可能にすることができる。従って、エレベータ装置の運行効率の低下を防止することができる。
【００２９】
また、上部建築部用かご２３は、上部かご出入口２５とは別個の上部乗降用かご出入口２６を有しているので、上部建築部用かご２３内と中間階４の乗場との間の乗客の乗降を可能にすることができる。従って、エレベータ装置の運行効率の低下を防止することができる。
【００３０】
また、下部建築部用かご１３には、下部建築部用かご１３及び上部建築部用かご２３が中間階４に並んで着床されたときに下部かご出入口１５の縁部と上部かご出入口２５の縁部との間の隙間を閉塞する閉塞部材３１が設けられているので、下部建築部用かご１３内と上部建築部用かご２３内との間の乗客の移動を円滑にさせることができる。従って、下部建築部用かご１３と上部建築部用かご２３との間の乗客の乗り継ぎをさらに容易にすることができる。
【００３１】
また、閉塞部材３１は下部建築部用かご１３に対して変位可能となっているので、下部建築部用かご１３の昇降時に閉塞部材３１を下部建築部用かご１３側に収納することができ、閉塞部材３１が下部昇降路５の内壁面に接触することを防止することができる。
【００３２】
また、下部建築部用かご１３内には、上部建築部用かご２３を中間階４に着床させるための下部かご内呼び釦２９が設けられているので、下部建築部用かご１３内の乗客の乗り継ぎのための待ち時間を短縮することができる。
【００３３】
また、上部建築部用かご２３内には、下部建築部用かご１３を中間階４に着床させるための上部かご内呼び釦３０が設けられているので、上部建築部用かご２３内の乗客の乗り継ぎのための待ち時間を短縮することができる。
【００３４】
なお、上記の例では、下部建築部用かご１３に下部かご出入口１５と下部乗降用かご出入口１６とが設けられているが、下部建築部用かご１３と下部建築部１の各乗場との間の乗客の乗降が下部かご出入口１５を通して可能であれば、下部建築部用かご１３に下部乗降用かご出入口１６を設けなくてよい。
【００３５】
また、上記の例では、上部建築部用かご２３に上部かご出入口２５と上部乗降用かご出入口２６とが設けられているが、上部建築部用かご２３と上部建築部２の各乗場との間の乗客の乗降が上部かご出入口２５を通して可能であれば、上部建築部用かご２３に上部乗降用かご出入口２６を設けなくてよい。
【００３６】
また、上記の例では、下部かご出入口１５及び上部かご出入口２５が制御装置からの指令により同期して開閉されるようになっているが、かごの戸１７及び２７を互いに係合させる係合装置により、下部かご出入口１５及び上部かご出入口２５の開閉を同期させるようにしてもよい。
【００３７】
また、上記の例では、閉塞部材３１は下部建築部用かご１３に設けられているが、上部建築部用かご２３に閉塞部材３１を設けてもよい。また、下部建築部用かご１３及び上部建築部用かご２３の両方に閉塞部材３１を設けてもよい。
【００３８】
また、上記の例では、閉塞部材３１は下部建築部用かご１３に対して回動可能になっているが、下部建築部用かご１３及び上部建築部用かご２３のいずれか一方から閉塞部材３１を水平方向へスライド可能としてもよい。
【００３９】
また、上記の例では、足場用部材３５は、閉塞位置にあるときに下部建築部用かご２３のみに保持されるようになっているが、足場用部材３５を上部建築部用かご２３の床部に係合させるようにしてもよい。
【００４０】
また、上記の例では、閉塞部材３１は下部建築部用かご１３に対して変位可能となっているが、閉塞部材３１を下部建築部用かご１３に対して固定してもよい。また、閉塞部材３１を上部建築部用かご２３に対して固定してもよい。
【００４１】
また、上記の例では、下部建築部用かご１３内及び上部建築部用かご２３内にそれぞれ設けられた行先階ボタン３２及び行先階ボタン３３は、下部建築部１の各乗場階のみ及び上部建築部２の各乗場階のみをそれぞれ選択するものであるが、下部建築部用かご１３内及び上部建築部用かご２３内の少なくともいずれか一方に、中間階４、下部建築部１の各乗場階及び上部建築部２の各乗場階へのすべての行先階ボタンを設けてもよい。
【００４２】
この場合、すべての乗場階への行先階ボタンが設けられた下部建築部用かご１３内及び上部建築部用かご２３内には、下部かご内呼び釦２９及び上部かご内呼び釦３０は設けられない。また、下部建築部用かご１３内で上部建築部２の各乗場階への行先階ボタンが選択されたとき、及び上部建築部用かご２３内で下部建築部１の各乗場階への行先階ボタンが選択されたときに、下部建築部用かご１３及び上部建築部用かご２３が中間階４に着床されるように制御装置により制御される。即ち、下部建築部用かご１３及び上部建築部用かご２３のいずれか一方のかご内で、他方のかごが対応する乗場階への行先階ボタンが操作された場合には、両方のかごが中間階４へ移動される。そして、他方のかごは、一方のかごから他方のかごへ乗客が移動した後に、目的階へ移動される。なお、一方のかご内での行先階ボタンの操作により制御装置に目的階が登録されるので、他方のかご内では乗客が目的階への行先階ボタンを再度操作する必要はない。
【図面の簡単な説明】
【００４３】
【図１】この実施の形態１に係る免震建築物用エレベータ装置を示す縦断面図である。
【図２】図１の下部建築部用かご及び上部建築部用かごが中間階に並んで着床された状態を示す縦断面図である。
【図３】図２の平断面図である。
【符号の説明】
【００４４】
１  下部建築部、２  上部建築部、３  免震装置、４  中間階、５  下部昇降路、７  上部昇降路、１３  下部建築部用かご、１５  下部かご出入口、１６  下部乗降用かご出入口（かご出入口）、２３  上部建築部用かご、２５  上部かご出入口、２６  上部乗降用かご出入口（かご出入口）、２９  下部かご内呼び釦（呼び釦）、３０  上部かご内呼び釦（呼び釦）、３１  閉塞部材。
【図１】
2005126157.tif 000003
【図２】
2005126157.tif 000004
【図３】
2005126157.tif 000005